【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
衝撃波を生成するためのデバイスであって、前記デバイスは、
軸方向に延びている細長い部材と、
前記細長い部材の一部を包囲しているバルーンであって、前記バルーンは、伝導性流体で充填可能である、バルーンと、
前記細長い部材に沿って延びている第１のワイヤであって、前記バルーン内の第１の側面場所における第１の内側電極において終端している第１のワイヤと、
前記細長い部材に沿って延びている第２のワイヤであって、前記第１の内側電極から円周方向にオフセットされている第２の側面場所に位置する第２の内側電極において終端している第２のワイヤと、
第１の開口および第２の開口を有する円筒形状の絶縁シースであって、前記絶縁シースは、前記絶縁シースの第１の開口が前記第１の内側電極の上に位置し、かつ、前記絶縁シースの第２の開口が前記第２の内側電極の上に位置するように、前記第１の内側電極および前記第２の内側電極の周囲に配置されている、絶縁シースと、
第１の開口および第２の開口を有する外側電極シースであって、前記外側電極シースは、前記外側電極シースの第１の開口が前記絶縁シースの第１の開口と整列させられ、かつ、前記外側電極シースの第２の開口が前記絶縁シースの第２の開口と整列させられるように、前記絶縁シースの周囲に配置されており、前記外側電極シースは、前記バルーンが前記伝導性流体で充填され、かつ、電圧が前記第１の内側電極および前記第２の内側電極にわたって印加されると、電流が、前記第１の内側電極から前記外側電極シースに、そして前記第２の内側電極に直列に流動することにより、第１の衝撃波が前記第１の側面場所から開始され、第２の衝撃波が前記第２の側面場所から開始されるように配列されている、外側電極シースと
を備える、デバイス。
【請求項２】
前記細長い部材の外面は、第１の溝および第２の溝を有し、前記第１の溝および前記第２の溝の各々は、前記細長い部材の長さに沿って延びており、前記第１のワイヤは、前記第１の溝内にスライド可能に配置されており、前記第２のワイヤは、前記第２の溝内にスライド可能に配置されている、請求項１に記載のデバイス。
【請求項３】
前記第１の内側電極は、前記第１のワイヤの導電性部分を覆って圧着されており、前記第２の内側電極は、前記第２のワイヤの導電性部分を覆って圧着されている、請求項１に記載のデバイス。
【請求項４】
前記第１の内側電極は、前記第１のワイヤを覆って圧着されている第１のハイポチューブであり、前記第２の内側電極は、前記第２のワイヤを覆って圧着されている第２のハイポチューブである、請求項３に記載のデバイス。
【請求項５】
前記細長い部材は、前記細長い部材を通って延びているガイドワイヤ管腔を有する、請求項１に記載のデバイス。
【請求項６】
衝撃波を生成するためのシステムであって、前記システムは、
軸方向に延びている細長い部材と、
前記細長い部材の一部を包囲しているバルーンであって、前記バルーンは、伝導性流体で充填可能である、バルーンと、
前記細長い部材の長さに沿った第１の場所における第１の電極アセンブリであって、前記第１の電極アセンブリは、第１の内側電極、第２の内側電極、および外側電極を有し、２つの円周方向にオフセットされた場所において衝撃波を開始するように構成されている、第１の電極アセンブリと、
前記細長い部材の長さに沿った第２の場所における第２の電極アセンブリであって、前記第２の電極アセンブリは、第１の内側電極、第２の内側電極、および外側電極を有し、２つの円周方向にオフセットされた場所において衝撃波を開始するように構成されており、前記第１の電極アセンブリの第２の内側電極および前記第２の電極アセンブリの第１の内側電極は、接続されており、前記バルーンが前記伝導性流体で充填され、かつ、電圧が前記第１の電極アセンブリの第１の内側電極および前記第２の電極アセンブリの第２の内側電極にわたって印加されると、電流が、前記第１の電極アセンブリの第１の内側電極から前記第１の電極アセンブリの外側電極に、前記第１の電極アセンブリの第２の内側電極に、前記第２の電極アセンブリの第１の内側電極に、前記第２の電極アセンブリの外側電極に、そして前記第２の電極アセンブリの第２の内側電極に直列に流動することにより、衝撃波の第１の対が前記第１の電極アセンブリの２つの円周方向にオフセットされた場所において生成され、衝撃波の第２の対が前記第２の電極アセンブリの２つの円周方向にオフセットされた場所において生成される、第２の電極アセンブリと
を備える、システム。
【請求項７】
前記細長い部材の長さに沿った第３の場所における第３の電極アセンブリをさらに備え、前記第３の電極アセンブリは、第１の内側電極、第２の内側電極、および外側電極を有し、２つの円周方向にオフセットされた場所において衝撃波を開始するように構成されている、請求項６に記載のシステム。
【請求項８】
前記細長い部材の長さに沿った第４の場所における第４の電極アセンブリをさらに備え、前記第４の電極アセンブリは、第１の内側電極、第２の内側電極、および外側電極を有し、２つの円周方向にオフセットされた場所において衝撃波を開始するように構成されている、請求項７に記載のシステム。
【請求項９】
前記細長い部材の長さに沿った第５の場所における第５の電極アセンブリをさらに備え、前記第５の電極アセンブリは、第１の内側電極、第２の内側電極、および外側電極を有し、２つの円周方向にオフセットされた場所において衝撃波を開始するように構成されている、請求項８に記載のシステム。
【請求項１０】
第１のチャネル、第２のチャネル、第３のチャネル、および帰還コネクタを有する電圧パルス発生器をさらに備え、前記第１のチャネルは、前記第１の電極アセンブリに選択的に接続可能であり、前記第２のチャネルは、前記第３の電極アセンブリに選択的に接続可能であり、前記第３のチャネルは、前記第４の電極アセンブリに選択的に接続可能であり、前記帰還コネクタは、前記第２の電極アセンブリ、前記第３の電極アセンブリ、および前記第５の電極アセンブリに接続されている、請求項９に記載のシステム。
【請求項１１】
前記第４の電極アセンブリの第２の内側電極は、前記第５の電極アセンブリの第１の内側電極に接続されており、前記第２の電極アセンブリの第２の内側電極、前記第３の電極アセンブリの第２の内側電極、および前記第５の電極アセンブリの第２の内側電極が、接続されている、請求項１０に記載のシステム。
【請求項１２】
前記バルーンが前記伝導性流体で充填され、かつ、電圧が前記第３の電極アセンブリの第１の内側電極および第２の内側電極にわたって印加されると、電流が、前記第３の電極アセンブリの第１の内側電極から前記第３の電極アセンブリの外側電極に、そして前記第３の電極アセンブリの第２の内側電極に直列に流動することにより、衝撃波の対が前記第３の電極アセンブリの２つの円周方向にオフセットされた場所において生成される、請求項１１に記載のシステム。
【請求項１３】
前記バルーンが前記伝導性流体で充填され、かつ、電圧が前記第４の電極アセンブリの第１の内側電極および前記第５の電極アセンブリの第２の内側電極にわたって印加されると、電流が、前記第４の電極アセンブリの第１の内側電極から前記第４の電極アセンブリの外側電極に、前記第４の電極アセンブリの第２の内側電極に、前記第５の電極アセンブリの第１の内側電極に、前記第５の電極アセンブリの外側電極に、そして前記第５の電極アセンブリの第２の内側電極に直列に流動することにより、衝撃波の第１の対が前記第４の電極アセンブリの２つの円周方向にオフセットされた場所において生成され、衝撃波の第２の対が前記第５の電極アセンブリの２つの円周方向にオフセットされた場所において生成される、請求項１１に記載のシステム。
【請求項１４】
衝撃波を生成するためのシステムであって、前記システムは、
軸方向に延びている細長い部材と、
前記細長い部材の一部を包囲しているバルーンであって、前記バルーンは、伝導性流体で充填可能である、バルーンと、
前記細長い部材の長さに沿った第１の場所における第１の電極アセンブリであって、前記第１の電極アセンブリは、第１の内側電極、第２の内側電極、および外側電極を有し、２つの円周方向にオフセットされた場所において衝撃波を開始するように構成されている、第１の電極アセンブリと、
前記細長い部材の長さに沿った第２の場所における第２の電極アセンブリであって、前記第２の電極アセンブリは、第１の内側電極、第２の内側電極、および外側電極を有し、２つの円周方向にオフセットされた場所において衝撃波を開始するように構成されており、前記第１の電極アセンブリおよび前記第２の電極アセンブリは、直列に接続されている、第２の電極アセンブリと、
前記細長い部材の長さに沿った第３の場所における第３の電極アセンブリであって、前記第３の電極アセンブリは、第１の内側電極、第２の内側電極、および外側電極を有し、２つの円周方向にオフセットされた場所において衝撃波を開始するように構成されている、第３の電極アセンブリと、
前記細長い部材の長さに沿った第４の場所における第４の電極アセンブリであって、前記第４の電極アセンブリは、第１の内側電極、第２の内側電極、および外側電極を有し、２つの円周方向にオフセットされた場所において衝撃波を開始するように構成されており、前記第３の電極アセンブリおよび前記第４の電極アセンブリは、直列に接続されている、第４の電極アセンブリと、
第１のチャネル、第２のチャネル、および帰還コネクタを有する電圧パルス発生器であって、前記第１のチャネルは、前記第１の電極アセンブリに選択的に接続可能であり、前記第２のチャネルは、前記第３の電極アセンブリに選択的に接続可能であり、前記帰還コネクタは、前記第２の電極アセンブリおよび前記第４の電極アセンブリに接続されており、直列に接続された前記第１および第２の電極アセンブリと、直列に接続された前記第３および第４の電極アセンブリとのうちの１つに選択的に電圧供給するように構成されている、電圧パルス発生器と
を備える、システム。
【請求項１５】
前記第１の電極アセンブリの第２の内側電極は、前記第２の電極アセンブリの第１の内側電極に接続されており、前記第３の電極アセンブリの第２の内側電極は、前記第４の電極アセンブリの第１の内側電極に接続されており、前記第２の電極アセンブリの第２の内側電極および前記第４の電極アセンブリの第２の内側電極は、前記帰還コネクタに接続されている、請求項１４に記載のシステム。
【請求項１６】
前記細長い部材の長さに沿った第５の場所における第５の電極アセンブリをさらに備え、前記第５の電極アセンブリは、第１の内側電極、第２の内側電極、および外側電極を有し、２つの円周方向にオフセットされた場所において衝撃波を開始するように構成されており、前記電圧パルス発生器は、前記第５の電極アセンブリに選択的に接続可能な第３のチャネルを含む、請求項１５に記載のシステム。
【請求項１７】
石灰化病変を破砕するための衝撃波を生成するためのデバイスであって、前記デバイスは、
軸方向に延びている細長い部材と、
前記細長い部材の一部を包囲しているバルーンであって、前記バルーンは、伝導性流体で充填可能である、バルーンと、
前記細長い部材の長さに沿って延びている第１のワイヤであって、前記ワイヤは、絶縁されており、第１の内側電極を規定する非絶縁部分を有する、第１のワイヤと、
前記細長い部材の長さに沿って延びている第２のワイヤであって、前記第２のワイヤは、絶縁されており、第２の内側電極を規定する非絶縁部分を有し、前記第２の内側電極は、前記第１の内側電極から円周方向にオフセットされた場所に位置している、第２のワイヤと、
前記第１の内側電極を前記伝導性流体にさらすための手段と前記第２の内側電極を前記伝導性流体にさらすための手段とが形成されている伝導性シースであって、前記シースは、前記シースの前記第１の内側電極を前記伝導性流体にさらすための手段が前記第１の内側電極と整列させられ、かつ、前記シースの前記第２の内側電極を前記伝導性流体にさらすための手段が前記第２の内側電極と整列させられるように、前記細長い部材に装着されており、前記シースは、前記バルーンが伝導性流体で充填され、かつ、電圧が前記第１のワイヤおよび前記第２のワイヤに印加されると、衝撃波が前記第１の内側電極および前記第２の内側電極の両方の近傍で生成されるように配列されている、伝導性シースと
を備える、デバイス。
【請求項１８】
前記第１の内側電極を前記伝導性流体にさらすための手段および前記第２の内側電極を前記伝導性流体にさらすための手段は、前記伝導性シースに形成された開口部である、請求項１７に記載のデバイス。
【請求項１９】
前記第１の内側電極を前記伝導性流体にさらすための手段および前記第２の内側電極を前記伝導性流体にさらすための手段は、前記伝導性シースに形成された切り欠きである、請求項１７に記載のデバイス。
【請求項２０】
前記伝導性シースに形成された前記切り欠きは、弧状の切り欠きである、請求項１９に記載のデバイス。
【請求項２１】
前記第１の内側電極および前記第２の内側電極は、前記第１のワイヤの非絶縁部分および前記第２のワイヤの非絶縁部分の各々に取り付けられた追加の伝導性要素によってさらに規定されている、請求項１７に記載のデバイス。
【請求項２２】
前記追加の伝導性要素は、前記第１のワイヤの非絶縁部分および前記第２のワイヤの非絶縁部分の各々に圧着されたハイポチューブである、請求項２１に記載のデバイス。
【請求項２３】
前記第１のワイヤおよび前記第２のワイヤは、前記細長い部材内に形成されており、前記細長い部材が絶縁を提供する、請求項１７に記載のデバイス。
【請求項２４】
前記第１のワイヤおよび前記第２のワイヤは各々、絶縁シースを含む、請求項１７に記載のデバイス。
【請求項２５】
細長い部材は、前記細長い部材の外面に沿って形成された細長い溝を含み、前記第１のワイヤおよび前記第２のワイヤは、前記溝に保持されている、請求項２４に記載のデバイス。
【請求項２６】
前記第２の内側電極は、前記第１の内側電極から１８０度オフセットされている、請求項１７に記載のデバイス。
【請求項２７】
前記第２の内側電極は、第３の内側電極に接続されており、前記デバイスは、前記第３の内側電極を前記伝導性流体にさらすための手段と第４の内側電極を前記伝導性流体にさらすための手段とを有する第２の伝導性シースをさらに含み、前記第３の内側電極は、前記第２のシースにおける前記第３の内側電極を前記伝導性流体にさらすための手段と整列させられており、前記第４の内側電極は、前記第２のシースにおける前記第４の内側電極を前記伝導性流体にさらすための手段と整列させられている、請求項１７に記載のデバイス。
【請求項２８】
前記第３の内側電極を前記伝導性流体にさらすための手段および前記第４の内側電極を前記伝導性流体にさらすための手段は、前記第２の伝導性シースに形成された開口部である、請求項２７に記載のデバイス。
【請求項２９】
前記第３の内側電極を前記伝導性流体にさらすための手段および前記第４の内側電極を前記伝導性流体にさらすための手段は、前記第２の伝導性シースに形成された切り欠きである、請求項２７に記載のデバイス。
【請求項３０】
前記第２の伝導性シースに形成された前記切り欠きは、弧状の切り欠きである、請求項２９に記載のデバイス。
【請求項３１】
前記細長い部材は、ガイドワイヤ管腔を含む、請求項１７に記載のデバイス。
【請求項３２】
前記伝導性シースと前記第１および第２の内側電極との間に装着されている絶縁シースをさらに含み、前記絶縁シースは、前記第１の内側電極を前記伝導性流体にさらすための手段と前記第２の内側電極を前記伝導性流体にさらすための手段とを含み、前記絶縁シースにおける前記第１の内側電極を前記伝導性流体にさらすための手段は、前記第１の内側電極と整列させられており、前記絶縁シースにおける前記第２の内側電極を前記伝導性流体にさらすための手段は、前記第２の内側電極と整列させられている、請求項１７に記載のデバイス。
【請求項３３】
前記絶縁シースにおける前記第１の内側電極を前記伝導性流体にさらすための手段および前記絶縁シースにおける前記第２の内側電極を前記伝導性流体にさらすための手段は、前記絶縁シースに形成された開口部である、請求項３２に記載のデバイス。
【請求項３４】
前記絶縁シースにおける前記第１の内側電極を前記伝導性流体にさらすための手段および前記絶縁シースにおける前記第２の内側電極を前記伝導性流体にさらすための手段は、前記絶縁シースに形成された切り欠きである、請求項３２に記載のデバイス。
【請求項３５】
前記絶縁シースに形成された前記切り欠きは、弧状の切り欠きである、請求項３４に記載のデバイス。